(57)【要約】【課題】甲被が柔らかい靴にも甲プロテクターを設けることができ、歩行や靴の履き脱ぎの際に邪魔になり難い甲プロテクターを備えた靴を提供する。【解決手段】足入れ部を構成するアッパー体３の足の甲部を覆う足甲部の外側に甲プロテクター１０を具備し、前記甲プロテクターは、足の甲部を保護するプロテクター本体１１と、このプロテクター本体の上部縁部に連結されて前記プロテクター本体より軟質の可撓性を有する材質からなる延伸部材１２とを具備し、前記プロテクター本体の下部縁部が前記アッパー体の爪先部に固定されると共に、前記延伸部材の前記プロテクター本体との連結側とは反対側の端部が前記アッパー体の足の脛前面の下部を覆う脛前部に固定されることで前記アッパー体に固定されている。【選択図】  図１
2012217695.tif 000002
【特許請求の範囲】
【請求項１】
足入れ部を構成するアッパー体の足の甲部を覆う足甲部の外側に甲プロテクターを具備し、前記甲プロテクターは、足の甲部を保護するプロテクター本体と、このプロテクター本体の上部縁部に連結されて前記プロテクター本体より軟質の可撓性を有する材質からなる延伸部材とを具備し、前記プロテクター本体の下部縁部が前記アッパー体の爪先部に固定されると共に、前記延伸部材の前記プロテクター本体との連結側とは反対側の端部が前記アッパー体の足の脛前面の下部を覆う脛前部に固定されることで前記アッパー体に固定されていることを特徴とする靴。
【請求項２】
前記プロテクター本体と前記爪先部との固定が着脱可能で且つ前記延伸部材と前記脛前部との固定が着脱可能であり、前記甲プロテクターが着脱可能であることを特徴とする請求項１記載の靴。
【請求項３】
前記プロテクター本体の下端部は、当該プロテクター本体の前記アッパー体から離間する動きを許容するように前記爪先部に固定されていることを特徴とする請求項１又は２記載の靴。
【請求項４】
前記アッパー部材の爪先部には、前記プロテクター本体が固定される係止部材が設けられ、この係止部材は、板状部材を折り返して一方の端部である基端部が折り返し部が爪先側になるように前記爪先部に固定され、前記プロテクター本体は折り返された他方の端部である先端部の基端部に対向する面に固定されていることを特徴とする請求項１〜３の何れか一項記載の靴。
【請求項５】
前記係止部材とプロテクター本体との固定は、面ファスナーを介して行われていることを特徴とする請求項４記載の靴。
【請求項６】
前記延伸部材と前記脛前部との固定は、面ファスナーを介して行われていることを特徴とする請求項１〜５の何れか一項記載の靴。
【請求項７】
前記延伸部材は前記プロテクター本体の上部縁部との固定側とは反対側が二股に分かれたＹ字形状であり、２つの端部がそれぞれ前記アッパー体の足の脛前面の下部を覆う脛前部の両側に固定されていることを特徴とする請求項１〜６の何れか一項記載の靴。
【請求項８】
クリーンルーム用の作業靴であることを特徴とする請求項１〜７の何れか一項記載の靴。
【発明の詳細な説明】
【技術分野】
【０００１】
本発明は、靴の甲部を保護する甲プロテクターを備えた靴、特にクリーンルーム用に用いて好適な靴に関する。
【背景技術】
【０００２】
クリーンルーム内で作業を行う際に使用する発塵性の低い靴としては、甲被を薄いポリエステル布で形成したもの知られている。この靴は、作業中に足首周り（靴下やズボンの下部）から出た塵埃がクリーンルーム内に散乱しないように、甲被が長めに形成されたものである。
【０００３】
このようなクリーンルームにおいて、重量物を取り扱うことがあるため、クリーンルーム用の靴についても、先芯だけでなく甲プロテクターを取り付けたいという要望がある。
【０００４】
一方、従来より、甲プロテクターを備えた靴が知られている。例えば、甲プロテクターを、甲プロテクター屈曲部と靴紐取り付け革の上下２カ所により甲被に取り付けられたものである（特許文献１参照）。また、甲プロテクターを、靴固定用カシメ部および靴紐取り付けの２カ所において固定されたものがある（特許文献２参照）。
【先行技術文献】
【特許文献】
【０００５】
【特許文献１】特開平９−２８９９０２号公報
【特許文献２】実用新案登録第３００３６５５号公報
【発明の概要】
【発明が解決しようとする課題】
【０００６】
しかしながら、従来の甲プロテクターを上述したクリーンルーム用靴に取り付けようとすると、甲被が柔らかいため、固定できないという問題がある。また、クリーンルーム用靴では甲被が柔らかいため、歩行時に甲被の上部が大きく縮むため、上述したような甲プロテクターを無理に固定した場合、歩行時に甲プロテクターが脱落したり、甲被の上部が裂けてしまうという問題がある。
【０００７】
このような問題は、クリーンルーム用靴だけでなく、甲被が比較的柔らかい靴にも同様に存在する。
【０００８】
また、一般的には、甲プロテクターを設けた場合には、歩行時や靴の履き脱ぎの際に邪魔になるという問題があるので、歩行や靴の履き脱ぎの際に邪魔になり難い甲プロテクターが要望されている。
【０００９】
そこで、本発明は、このような事情に鑑み、甲被が柔らかい靴にも甲プロテクターを設けることができ、歩行や靴の履き脱ぎの際に邪魔になり難い甲プロテクターを備えた靴を提供することを課題とする。
【課題を解決するための手段】
【００１０】
前記課題を解決する本発明の第１の態様は、足入れ部を構成するアッパー体の足の甲部を覆う足甲部の外側に甲プロテクターを具備し、前記甲プロテクターは、足の甲部を保護するプロテクター本体と、このプロテクター本体の上部縁部に連結されて前記プロテクター本体より軟質の可撓性を有する材質からなる延伸部材とを具備し、前記プロテクター本体の下部縁部が前記アッパー体の爪先部に固定されると共に、前記延伸部材の前記プロテクター本体との連結側とは反対側の端部が前記アッパー体の足の脛前面の下部を覆う脛前部に固定されることで前記アッパー体に固定されていることを特徴とする靴にある。
【００１１】
かかる態様では、甲プロテクターのプロテクター本体は下部縁部が爪先部に連結され、上部縁部が軟質の延伸部材を介して脛前部に連結されて釣り下げられた状態であるので、歩行や靴の履き脱ぎの際に甲プロテクターが邪魔になり難く、脛前部が柔らかい材質とすることも可能である。
【００１２】
ここで、前記プロテクター本体と前記爪先部との固定が着脱可能で且つ前記延伸部材と前記脛前部との固定が着脱可能であり、前記甲プロテクターが着脱可能であるのが好ましい。
【００１３】
これによれば、延伸部材の固定状態を脱離することにより、靴の履き脱ぎの際に甲プロテクターがさらに邪魔になり難く、また、プロテクター本体の固定状態も脱離することで、洗濯する際などに甲プロテクターを外すことができるので、洗濯し易くなる。
【００１４】
前記プロテクター本体の下端部は、当該プロテクター本体の前記アッパー体から離間する動きを許容するように前記爪先部に固定されているのが好ましい。
【００１５】
これによれば、歩行の際に甲プロテクターが歩行の動作にあわせて移動し易く、また、靴の履き脱ぎの際により邪魔になり難い。
【００１６】
また、前記アッパー部材の爪先部には、前記プロテクター本体が固定される係止部材が設けられ、この係止部材は、板状部材を折り返して一方の端部である基端部が折り返し部が爪先側になるように前記爪先部に固定され、前記プロテクター本体は折り返された他方の端部である先端部の基端部に対向する面に固定されているのが好ましい。
【００１７】
これによれば、歩行などの際に靴が大きく変形しても、甲プロテクターの取り付け位置がずれたり、脱落することがなく、また、歩行や靴の履き脱ぎの際に甲プロテクターがアッパー体から離間する方向に移動し易い。
【００１８】
また、前記係止部材とプロテクター本体との固定は、面ファスナーを介して行われているのが好ましい。
【００１９】
これによれば、取り付けや取り外しを容易に行うことができる。
【００２０】
また、前記延伸部材と前記脛前部との固定は、面ファスナーを介して行われているのが好ましい。
【００２１】
これによれば、取り付けや取り外しを容易に行うことができる。
【００２２】
また、前記延伸部材は前記プロテクター本体の上部縁部との固定側とは反対側が二股に分かれたＹ字形状であり、２つの端部がそれぞれ前記アッパー体の足の脛前面の下部を覆う脛前部の両側に固定されているのが好ましい。
【００２３】
これによれば、歩行などの際に脛前部の移動が甲プロテクターに邪魔され難く、特に、延伸部材が撓みやすい。
【００２４】
また、クリーンルーム用の作業靴であるのが好ましい。
【００２５】
これによれば、歩行や靴の履き脱ぎの際にが邪魔になり難い甲プロテクターを備えるクリーンルーム用靴が実現できる。
【発明の効果】
【００２６】
本発明によれば、甲プロテクターのプロテクター本体は下部縁部が爪先部に固定され、上部縁部が軟質の延伸部材を介して脛前部に固定されて釣り下げられた状態であるので、歩行や靴の履き脱ぎの際に甲プロテクターが邪魔になり難く、脛前部が柔らかい材質でも甲プロテクターを備える靴とすることができる。
【図面の簡単な説明】
【００２７】
【図１】本発明の実施形態１に係る靴の側面図である。
【図２】本発明の実施形態１に係る靴の正面図である。
【図３】本発明の実施形態１に係る甲プロテクターの側面図である。
【図４】本発明の実施形態１に係る甲プロテクターの平面図である。
【図５】本発明の実施形態１に係る靴の甲プロテクターを外した状態を表した側面図である。
【図６】本発明の実施形態１に係る靴の甲プロテクターを一部外した状態を表した側面図である。
【図７】本発明の実施形態１に係る靴の要部断面図である。
【図８】本発明の実施形態１に係る靴の使用状態を示す側面図である。
【図９】本発明の本発明の実施形態１に係る靴の正面図である。
【図１０】本発明の実施形態２に係る甲プロテクターの平面図である。
【図１１】本発明の実施形態２に係る甲プロテクターの側面図である。
【図１２】本発明の他の実施形態に係る靴の要部断面図である。
【発明を実施するための形態】
【００２８】
以下、本発明の実施形態を図面を参照して説明する。
【００２９】
（実施形態１）
図１及び図２は、本発明に係る靴の一例としての実施形態１のクリーンルーム用作業靴の側面図及び正面図、図３及び図４は、甲プロテクターの側面図及び平面図、図５は、甲プロテクターを外した靴の側面図、図６は、甲プロテクターの上部だけを外した靴の側面図、図７は靴の要部断面図、図８は使用状態を示す側面図である。
【００３０】
これらの図面に示すように、クリーンルーム用作業靴（以下、単に、靴という）１は、フードタイプのクリーンルーム用作業靴であり、靴底２に、足入れ部を構成するアッパー体３が設けられたものであり、アッパー体３は、靴本体を構成する本体部４と、本体部４の履き口に一体的に連結されたフード部５とからなる。ここで、本体部４は、皮革や比較的強度のある樹脂や生地で構成され、爪先部６には補強のための先芯７が内蔵されている。また、フード部５は、ポリエステルやナイロンなどの発塵性の低い軟質の材料で形成されており、足の脛全体、すなわち、靴下やズボンの下部を覆うような長さ及び大きさで形成されており、本実施形態では、前面中央部に上端部から本体部４近傍まで線ファスナー（以下、単にファスナーという）８及び上端部には面ファスナーで開閉可能な固定バンド９が設けられており、履き脱ぎの際にフード部５を開閉できるようになっている。
【００３１】
そして、本実施形態の靴１は、着脱可能な甲プロテクター１０を具備する。甲プロテクター１０は、足の甲部を保護するように、アッパー体３の足甲部を覆うプロテクター本体１１と、プロテクター本体１１の上部縁部に固定された延伸部材１２とからなる。プロテクター本体１１は、アッパー体３の足甲部に沿うように湾曲した形状で、金属や硬質樹脂で形成されたものである。延伸部材１２は、プロテクター本体１１より軟質で可撓性を有する材質、例えば、軟質の樹脂やエラストマー、ゴム、皮革、布などで形成され、プロテクター本体１１の上部縁部にビス１３で固定されている。
【００３２】
甲プロテクター１０の取り付け構造をさらに詳細に説明する。
【００３３】
アッパー体３の本体部４の爪先部６には、甲プロテクター１０を固定するための係止部材１４が設けられている。係止部材１４は、略矩形状の樹脂製などの板材であり、半分に折り返された形状で設けられており、折り返された一方の端部である基端部１５が折り返し部１６が爪先側になるように爪先部６に固定されており、他方の端部である先端部１７は基端部１５の上方に重なるように配置されている。先端部１７の基端部１５に対向する面には、面ファスナーの一方面、本実施形態では、ループ面１８が設けられており、プロテクター本体１１の下部縁部には、ループ面１８と脱着可能に結合するフック面１９が設けられている。
【００３４】
一方、プロテクター本体１１の上部縁部に固定された延伸部材１２は、プロテクター本体１１の上部縁部との連結側とは反対側が二股に分かれたＹ字形状を有し、二股に分かれた二つの端部がそれぞれアッパー体３のフード部５の足の脛前面の下部を覆う脛前部の両側に連結されている。
【００３５】
ここで、フード部５の脛前部のファスナー８の両側には、面ファスナーの一方面、本実施形態では、ループ面２０が設けられており、一方、Ｙ字形状の延伸部材１２の二つの端部にはループ面２０と脱着可能に結合するフック面２１が設けられている。
【００３６】
かかる甲プロテクター１０は、プロテクター本体１１の下部縁部が爪先部６に設けられた係止部材１４に連結される一方、上部縁部が延伸部材１２を介してフード部５の脛前部に釣り下げられた状態で連結されることで、上下二カ所で固定されているが、上部縁部が可撓性を有する延伸部材１２で釣られた状態であるので、歩行や履き脱ぎの際に邪魔になり難い。すなわち、歩行や履き脱ぎの際にフード部５が大きく変形しても甲プロテクター１０は変形に追従して移動し且つ変形を阻害することもないので、しゃがんでの作業の際にも甲プロテクター１０が邪魔にならず、脱落等の虞もない。
【００３７】
特に、本実施形態では、係止部材１４が板状部材を折り返した形状を有し、プロテクター本体１１の下部縁部が折り返された先端部１７に連結されているので、例えば、歩行の際にフード部５が前方に大きく傾いても、折り返し部１６が開いて先端部１７が前方に移動するので、プロテクター本体１１が本体部４やフード部５から離間するように移動することができ、歩行やしゃがんだりする動作を阻害しないようになっている。
【００３８】
また、折り返し部１６を有する係止部材１４を設け、先端部１７の内側にプロテクター本体１１の下部縁部を結合するようにして、下部縁部が折り返し部１６の内側に当接するようにしているので、歩行などの動きによりプロテクター本体１１に対して爪先に向かって大きな力がかかっても、プロテクター本体１１の爪先側への移動や脱落が係止部材１４の折り返し部１６により防止され、常に甲部が保護されるという利点がある。
【００３９】
一方、延伸部材１２がＹ字形状を有し、上部が二股に分かれているので、より撓みやすくなっており、プロテクター本体１１が本体部４やフード部５から離間するように移動する動きがさらに容易となっており、歩行などの動きがさらに自由に行えるようになっている。
【００４０】
また、延伸部材１２をＹ字形状として、二つの端部をファスナー８の両側に連結するようにしたので、延伸部材１２をフード部５に結合した状態のまま、ファスナー８を開けて履き脱ぎを行えるという利点もある。
【００４１】
勿論、延伸部材１２のフック面２１をフード部５のループ面２０から外すと、係止部材１４に結合された甲プロテクター１０は、係止部材１４の折り返し部１６を開いてプロテクター本体１１を爪先側に倒すことができるので、履き脱ぎをさらに容易にすることができる。
【００４２】
このような甲プロテクター１０は、プロテクター本体１１が係止部材１４と着脱可能であり、延伸部材１２がフード部５と着脱可能であるから、靴を洗濯する際になどに甲プロテクター１０を取り外すことができるという利点もある。
【００４３】
（実施形態２）
図９は、実施形態１のクリーンルーム用作業靴の正面図、図１０及び図１１は、甲プロテクターの平面図及び側面図である。
【００４４】
これらの図面に示すように、クリーンルーム用作業靴（以下、単に、靴という）１Ａは、羽根式のクリーンルーム用作業靴であり、靴底２Ａに設けられた足入れ部を構成するアッパー体３Ａは、本体部４Ａが一対の外羽根３１を具備し、外羽根３１にフード部５Ａが設けられている。そして、一対の外羽根３１は、それぞれに設けられた貫通孔３２に通された靴紐３３により係合されている。
【００４５】
ここで、本実施形態の靴１Ａは、着脱可能な甲プロテクター１０Ａを具備する。甲プロテクター１０Ａは、足の甲部を保護するように、アッパー体３Ａの足甲部を覆うプロテクター本体１１Ａと、プロテクター本体１１Ａの上部縁部に固定された延伸部材１２Ａとからなる。プロテクター本体１１Ａは、実施形態１と同様であり、アッパー体３Ａの足甲部に沿うように湾曲した形状で、金属や硬質樹脂で形成されたものである。延伸部材１２Ａは、プロテクター本体１１Ａより軟質で可撓性を有する材質、例えば、軟質の樹脂やエラストマー、ゴム、皮革、布などで形成され、プロテクター本体１１の上部縁部にビス１３Ａで固定されている第１延伸部材４１と、これに連結された第２延伸部材４２とからなる。
【００４６】
プロテクター本体１１Ａの下端部には、面ファスナーのフック面１９Ａが設けられ、アッパー体３Ａの本体部４Ａの爪先部６Ａに設けられた実施形態１と同様な構造の係止部材１４Ａの図示しないループ面と結合して固定される点は、実施形態１と同様である。
【００４７】
一方、プロテクター本体１１Ａの上部縁部に固定された延伸部材１２Ａの第１延伸部材４１は、本実施形態では、本体部４Ａと同様な皮革又は布など材質からなり、プロテクター本体１１Ａとの結合側はプロテクター本体１１Ａを表裏面側から挟む構造となり、挟持した状態でビス１３Ａでプロテクター本体１１Ａに固定されている。また、第２延伸部材４２との連結端も二枚に分かれており、帯状の第２延伸部材４２の端部を挟持した状態で接合されている。かかる第２延伸部材４２は、ゴムやエラストマーなど、可撓性と共に弾性を有する材質からなる。
【００４８】
ここで、第２延伸部材４２とアッパー体３Ａの足の脛前面の下部を覆う脛前部への連結構造をさらに詳細に説明する。第２延伸部材４２の第１延伸部材４１との連結端とは反対側の端部、すなわち、先端部には、面ファスナーの一方、例えば、ループ面４３が設けられ、第１延伸部材４１との連結端又は第１延伸部材４１、本実施形態では第１延伸部材４１には面ファスナーの他方、例えば、フック面４４が設けられている。そして、第２延伸部材４２の先端部を靴紐３３と外羽根３１との間に通して第２延伸部材４２を折り返して靴紐３３に引っかけた状態で、ループ面４３をフック面４４と結合することにより、第２延伸部材４２を靴紐３３、すなわち、アッパー体３Ａの下部を覆う脛前部への連結することができるようになっている。
【００４９】
かかる甲プロテクター１０Ａは、実施形態１と同様に、プロテクター本体１１Ａの下部縁部が爪先部６Ａに設けられた係止部材１４Ａに連結される一方、上部縁部が延伸部材１２Ａを介して外羽根３１の靴紐３３に釣り下げられた状態で連結されることで、上下二カ所で固定されているが、上部縁部が可撓性を有する延伸部材１２Ａで釣られた状態であるので、実施形態１と同様な効果を奏する。すなわち、歩行や履き脱ぎの際に邪魔になり難く、歩行や履き脱ぎの際にフード部５Ａや外羽根３１が大きく変形しても甲プロテクター１０Ａは変形に追従して移動し且つ変形を阻害することもないので、しゃがんでの作業の際にも甲プロテクター１０Ａが邪魔にならず、脱落等の虞もない。
【００５０】
（変形例）
上述した実施形態では、係止部材１４、１４Ａとして板状部材を折り返したものとしたが、これに限定されず、プロテクター本体１１がアッパー体３から離間する動きを許容できるものであればよく、例えば、可撓性のある板状部材を折り返さない状態で用いて係止部材としてもよい。
【００５１】
この例を図１２に示す。図１２（ａ）に示すように、係止部材５０は、可撓性を有する樹脂やエラストマー性の板状部材であり、一端部５１が爪先部６に固定され、他端部５２の内側に面ファスナー５３が設けられており、プロテクター本体１１が結合できるようになっている。かかる係止部材５０は、可撓性を有するので、プロテクター本体１１がアッパー体３から離間するように動いても、図１２（ｂ）に示すように、変形によりプロテクター本体１１の動きを阻害することがない。
【００５２】
また、以上の説明では、着脱可能な固定手段として面ファスナーを例示したが、ホックなどを用いてもよいことはいうまでもない。
【００５３】
また、甲プロテクターを取り外し可能としたが、これに限定されるものではない。すなわち、上述した実施形態で、面ファスナーで結合した部分を脱離できないようにしても、脱離可能なことに基づく作用効果以外の基本的な作用効果は同様であることは容易に理解できる。勿論、延伸部材１２、１２Ａ側のみを脱離可能としたり、プロテクター本体１１、１１Ａ側のみを脱離可能としたものでも同様であることはいうまでもない。
【００５４】
また、延伸部材１２をＹ字形状や、一部を帯状部材としたが、単なる帯状部材でも、プロテクター本体１１、１１Ａとの係止部も二股に分かれているＸ字形状又はＨ字形状であってもよく、さらには、二つの帯状部材としてもよい。
【００５５】
さらに、クリーンルーム用作業靴としてフードタイプや羽根式を例示したが、ハーフフードタイプの靴でもよく、何れにしても延伸部材を係止できる脛前部を有する靴であればよい。
【００５６】
また、靴はクリーンルーム用作業靴に限定されるものではなく、各種長さのゴム長靴や、各種作業靴などにも適用できることはいうまでもない。
【符号の説明】
【００５７】
１、１Ａ  靴
２、２Ａ  靴底
３、３Ａ  アッパー体
４、４Ａ  本体部
５、５Ａ  フード部
６、６Ａ  爪先部
１０、１０Ａ  甲プロテクター
１１、１１Ａ  プロテクター本体
１２、１２Ａ  延伸部材
１４、１４Ａ  係止部材
４１  第１延伸部材
４２  第２延伸部材
【図１】
2012217695.tif 000003
【図２】
2012217695.tif 000004
【図３】
2012217695.tif 000005
【図４】
2012217695.tif 000006
【図５】
2012217695.tif 000007
【図６】
2012217695.tif 000008
【図７】
2012217695.tif 000009
【図８】
2012217695.tif 000010
【図９】
2012217695.tif 000011
【図１０】
2012217695.tif 000012
【図１１】
2012217695.tif 000013
【図１２】
2012217695.tif 000014